(57)【特許請求の範囲】
【請求項１】
縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域と、少なくとも前記第１ウエスト域を形成する第１ウエスト部材と、少なくとも前記第２ウエスト域を形成する第２ウエスト部材と、少なくとも前記クロッチ域を形成するクロッチ部材とを有し、前記クロッチ部材の前記反対側に前記第１および第２ウエスト部材が接合される使い捨て着用物品において、
前記クロッチ部材は、位置確認用マークが形成された印刷シートを有し、前記印刷シートは、前記第１ウエスト部材と重なる第１端縁から、前記第２ウエスト部材と重なる第２端縁まで連続して前記縦方向に延びるとともに、前記マークは、前記第１および第２ウエスト部材の少なくともいずれか一方に重なり、よって前記反対側から視認不能または視認し難くされていることを特徴とする前記使い捨て着用物品。
【請求項２】
前記印刷シートは、不透液性かつ透湿性のシートによって形成され、前記クロッチ部材は、前記印刷シートと、前記印刷シートの前記反対側に位置する外面シートとを有する請求項１記載の使い捨て着用物品。
【請求項３】
前記印刷シートは、不透液性かつ透湿性のプラスチックフィルム、繊維不織布、紙によって形成される請求項１または２記載の使い捨て着用物品。
【請求項４】
前記クロッチ部材は、前記第１および第２ウエスト部材が重なる第１積層領域および第２積層領域と、これら第１および第２積層領域の前記縦方向間に位置する中間領域とを含み、前記中間領域には、前記反対側から視認可能な表示要素が形成される請求項１〜３のいずれかに記載の使い捨て着用物品。
【請求項５】
前記第１および第２ウエスト部材の少なくともいずれか一方には、前記反対側から視認可能な表示要素が形成される請求項１〜４のいずれかに記載の使い捨て着用物品。
【請求項６】
前記第１および第２ウエスト部材に表示された前記表示要素は、前記第１積層領域および第２積層領域に重なって形成される請求項５記載の使い捨て着用物品。
【請求項７】
前記第１および第２ウエスト部材は、前記反対側に位置する第１および第２ウエストシートと、前記第１および第２ウエストシートの内側に位置する不透液性かつ透湿性の前後表示フィルムとを有し、前記前後表示フィルムの少なくともいずれか一方に前記表示要素が形成される請求項５または６記載の使い捨て着用物品。
【発明の詳細な説明】
【技術分野】
【０００１】
本発明は、使い捨て着用物品に関し、より詳しくは、使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前ウエスト域を形成する前ウエスト部材と、後ウエスト域を形成する後ウエスト部材と、前後ウエスト域の間に位置するクロッチ域を形成するクロッチ部材とを有する使い捨ておむつは公知である。例えば、特許文献１には、クロッチ部材の外側に前後ウエスト部材が接合され、このクロッチ部材は、グラフィックがプリントされたパッチシートを有することが開示されている。
【先行技術文献】
【特許文献】
【０００３】
【特許文献１】特表２００６−５２５８５８公報（ＪＰ  ２００６−５２５８５８  Ａ）
【発明の概要】
【発明が解決しようとする課題】
【０００４】
特許文献１のパッチシートのグラフィックは、着用者がおむつの外側から視認できることとされ、グラフィックがおむつの外側から視認できない、または視認しにくい態様については、開示されていない。
【０００５】
この発明では、クロッチ部材に形成された位置確認用マークが、前後ウエスト部材に重なる着用物品を提供することを課題とする。
【課題を解決するための手段】
【０００６】
本発明は、縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域と、少なくとも前記第１ウエスト域を形成する第１ウエスト部材と、少なくとも前記第２ウエスト域を形成する第２ウエスト部材と、少なくとも前記クロッチ域を形成するクロッチ部材とを有し、前記クロッチ部材の前記反対側に前記第１および第２ウエスト部材が接合される使い捨て着用物品の改良にかかわる。
【０００７】
本発明の特徴は、前記クロッチ部材は、位置確認用マークが形成された印刷シートを有し、前記印刷シートは、前記第１ウエスト部材と重なる第１端縁から、前記第２ウエスト部材と重なる第２端縁まで連続して前記縦方向に延びるとともに、前記マークは、前記第１および第２ウエスト部材の少なくともいずれか一方に重なり、よって前記反対側から視認不能または視認し難くされていることにある。
【０００８】
この発明の実施態様のひとつとして、前記印刷シートは、不透液性かつ透湿性のシートによって形成され、前記クロッチ部材は、前記印刷シートと、前記印刷シートの前記反対側に位置する外面シートとを有する。
【０００９】
他の実施態様のひとつとして、前記印刷シートは、不透液性かつ透湿性のプラスチックフィルム、繊維不織布、紙によって形成される。
【００１０】
他の実施態様のひとつとして、前記クロッチ部材は、前記第１および第２ウエスト部材が重なる第１積層領域および第２積層領域と、これら第１および第２積層領域の前記縦方向間に位置する中間領域とを含み、前記中間領域には、前記反対側から視認可能な表示要素が形成される。
【００１１】
他の実施態様のひとつとして、前記第１および第２ウエスト部材の少なくともいずれか一方には、前記反対側から視認可能な表示要素が形成される。
【００１２】
他の実施態様のひとつとして、前記第１および第２ウエスト部材に表示された前記表示要素は、前記第１積層領域および第２積層領域に重なって形成される。
【００１３】
他の実施態様のひとつとして、前記第１および第２ウエスト部材は、前記反対側に位置する第１および第２ウエストシートと、前記第１および第２ウエストシートの内側に位置する不透液性かつ透湿性の前後表示フィルムとを有し、前記前後表示フィルムの少なくともいずれか一方に前記表示要素が形成される。
【発明の効果】
【００１４】
本発明の特にそのひとつ以上の実施態様によれば、クロッチ部材の印刷シートに形成された位置確認用のマークは、第１および第２ウエスト部材の少なくともいずれか一方に重なることとしたので、このマークを着用物品の外側から視認不能に、または視認しにくくすることができる。したがって、マークによって着用物品の美感が損なわれるのを防止することができる。
【図面の簡単な説明】
【００１５】
【図１】おむつの斜視図。
【図２】おむつの一部破断展開図。
【図３】おむつの分解斜視図。
【図４】図２のＩＶ−ＩＶ線模式断面図。
【図５】クロッチ部材を着衣側から見たときの一部破断平面図。
【図６】おむつの外観を説明するための説明図。
【図７】クロッチ部材の製造方法の説明図。
【図８】前後ウエスト部材の製造方法の説明図。
【発明を実施するための形態】
【００１６】
図１は、本発明に係る使い捨て着用物品の一例として示す、使い捨ておむつ１の斜視図、図２は、おむつ１の一部破断展開平面図、図３は、おむつ１の分解斜視図、図４は、図２のＩＶ−ＩＶ線模式断面図である。おむつ１は、横方向Ｘの長さ寸法を二等分した仮想縦中心線Ｐ−Ｐ、横方向Ｙの長さ寸法を二等分した仮想横中心線Ｑ−Ｑを有し、仮想縦中心線Ｐ−Ｐに関してほぼ対称とされている。
【００１７】
おむつ１は、着用者の身体側およびその反対側である着衣側と、前ウエスト域２と、後ウエスト域３と、前後ウエスト域２，３間に位置するクロッチ域４と、互いに仮想横中心線Ｑ−Ｑに関して対向し、横方向Ｘに延びる前後端部５，６と、互いに仮想縦中心線Ｐ−Ｐに関して対向し、縦方向Ｙへ延びる両側縁部とを有する。両側縁部は、前ウエスト域２に位置する前側縁部７ａと、後ウエスト域３に位置する後側縁部７ｂと、クロッチ域４に位置するクロッチ側縁部７ｃとを有する。
【００１８】
前後側縁部７ａ，７ｂは、仮想縦中心線Ｐ−Ｐにほぼ平行に延びるとともに、クロッチ側縁部７ｃは、着用者の大腿部に沿ってフィットするように凹曲状に形成されている。前側縁部７ａと後側縁部７ｂとは、縦方向Ｙに間欠的に延びるサイドシーム部８によって連結され、ウエスト開口および一対のレッグ開口が形成されている。
【００１９】
おむつ１は、前ウエスト域２とクロッチ域４の一部を形成する前ウエスト部材２０と、後ウエスト域３とクロッチ域４の一部を形成する後ウエスト部材３０と、これら前後ウエスト部材２０，３０の縦方向Ｙ間に位置しクロッチ域４の一部を形成するクロッチ部材４０とを有する。
【００２０】
前後ウエスト部材２０，３０は、略台形状の前後ウエストシート２１，３１と、前後ウエストシート２１，３１の内面にホットメルト接着剤等によって接合された前後表示フィルム２２，３２とを有する。前後表示フィルム２２，３２には、例えばペンギンの絵などの前後表示要素２３，３３が形成され、これら表示要素２３，３３は前後ウエストシート２１，３１に対向する面に形成され、前後ウエストシート２１，３１を透過しておむつ１の着衣側から視認可能とされている。
【００２１】
前後ウエストシート２１，３１は、スパンボンド繊維不織布であって、繊維層が捲縮するスパンボンドフィラメント繊維から形成されていることが好ましい。このように捲縮繊維を用いた場合には、捲縮繊維が伸縮し、弾性伸縮性を有するので、着用者に密着し易く、肌触りも良好なものとすることができる。また、前後ウエストシート２１，３１は、上記のように前後表示要素２３，３３を視認可能とさせるために、その全光線透過率を約６０〜１００％、好ましくは約７０〜８０％とされている。全光線透過率は、日本電色工業（株）製の交照測式色差計  Ｚ−３００Ａを用い、得られたＴＴ値を全光線透過率（％）として測定した。
【００２２】
前後表示フィルム２２，３２は、不透液性かつ透湿性のプラスチックフィルムによって形成され、前後ウエストシート２１，３１の横方向Ｘの中央近傍に取り付けられている。
【００２３】
クロッチ部材４０は、横方向Ｘに延びるとともに前ウエスト部材２０と重なる前端縁４０ａと、後ウエスト部材３０に重なる後端縁４０ｂと、縦方向Ｙに延びる両側縁４０ｃとを有する。また、クロッチ部材４０は、着衣側であって前後ウエストシート２１，３１に対向する外面シート４１と、外面シート４１の身体側に積層される印刷シート４２とによって形成される。
【００２４】
外面シート４１は、透湿性の繊維不織布を用いることができ、印刷シート４２は、不透液性かつ透湿性のプラスチックフィルム、繊維不織布、紙等の可撓性シート等を用いることができる。外面シート４１と印刷シート４２とは、ほぼ同形同大にされ、ホットメルト接着剤等によって互いに接合されている。
【００２５】
図５は、クロッチ部材４０を外面シート４１側から見た図であり、説明のためその一部を破断している。図示したように、印刷シート４２であって、外面シート４１と対向する面には、位置確認用マーク４３と、魚の絵などのクロッチ表示要素４４ａ，４４ｂとが形成されている。これら位置確認用マーク４３およびクロッチ表示要素４４ａ，４４ｂは、外面シート４１から視認可能とされている。この外面シート４１は、前後ウエストシート２１，３１と同様に、その全光線透過率を約６０〜１００％、好ましくは約７０〜８０％とされている。
【００２６】
位置確認用マーク４３は、横方向Ｘに連続されたクロッチ部材４０を切断する場合に、切断位置を確認するため等に使用されるものである。位置確認用マーク４３は、前端縁４０ａの近傍であって、横方向Ｘの中心近傍に位置する。クロッチ表示要素４４ａ，４４ｂは、後端縁４０ｂの近傍と、位置確認用マーク４３よりも縦方向Ｙ内側とのそれぞれに形成されている。
【００２７】
図２，３に示したように、クロッチ部材４０には、その全体を被覆する繊維不織布製の固定シート４５が取り付けられている。固定シート４５は、印刷シート４２に積層されてホットメルト接着剤等によって接合されている。固定シート４５は、クロッチ部材４０よりも幅広であって、クロッチ域４から後ウエスト域３に位置している。外面シート４１および固定シート４５は、前後ウエストシート２１，３１と同様に、捲縮繊維からなるスパンボンド繊維不織布から形成してもよいし、弾性的に非伸縮性のエアスルー繊維不織布などから形成してもよい。
【００２８】
上記のような前後ウエスト部材２０，３０およびクロッチ部材４０の身体側には、クロッチ域４から前後ウエスト域２，３へと延びる吸液構造体５０がホットメルト接着剤等によって取り付けられている。吸液構造体５０は、横方向Ｘに延びる前後端縁５１，５２と、縦方向Ｙに延びる両側縁５３とによって画成された縦長方形状である。前端縁５１は前ウエスト部材２０に重なって位置し、後端縁５２は後ウエスト部材３０に重なって位置し、これら前後端縁５１，５２の間の中間部分はクロッチ部材４０に位置している。
【００２９】
吸液構造体５０は、フラッフパルプと超吸収性ポリマー粒子等との混合からなる吸液性コアを液拡散性シート（図示せず）で覆うことによって形成された吸液性芯材５４と、吸液性芯材５４の吸収面を覆う身体側ライナ５５と、吸液性芯材５４の底面を覆う被覆シート５６と、被覆シート５６と吸液性芯材５４との間に位置しプラスチック材料から形成された防漏シート５７とを含む。
【００３０】
被覆シート５６は、吸液性芯材５４の両側縁から横方向Ｘの外方に延びるとともに、その一部が仮想縦中心線Ｐ−Ｐ側に向かって折り返され、一対のスリーブ状のサイドフラップ５８，５８が形成されている。サイドフラップ５８，５８内には、縦方向Ｙに延びるエラストマーからなるストランド状の弾性要素５９，６０がホットメルト接着剤を介して収縮可能に接合されている。横方向Ｘ内側に位置する複数条の弾性要素５９は、クロッチ域４から前後ウエスト域２，３に延びている。これら弾性要素５９の収縮作用によって、被覆シート５６の両側部が身体側ライナ５５から離間してバリアまたはガスケットカフを形成し、排泄物の横漏れを防止することができる。弾性要素５９の横方向Ｘ外側に位置する複数条の弾性要素６０は、クロッチ域４の中央部にのみ取り付けられ、着用者の鼠径部に沿って延びる弾性帯を形成している。
【００３１】
前ウエスト域２では、前端部５に沿って前ウエストシート２１が仮想横中心線Ｑ−Ｑに向かって折り返され前エンドフラップ２４が形成されている。また、後ウエスト域３では、後端部６に沿って、後ウエストシート３１が仮想横中心線Ｑ−Ｑに向かって折り返され後エンドフラップ３４が形成されている。前後エンドフラップ２４，３４内には、前後端縁５，６に沿って、複数条の前後ウエスト弾性糸２５，３５が横方向Ｘに伸長状態で収縮可能に取り付けられている。これら前後ウエスト弾性糸２５，３５は、ホットメルト接着剤等によって前後エンドフラップ２４，３４に接合されている。
【００３２】
前後ウエストシート２１，３１の内側には、前後弾性シート２６，３６が横方向Ｘに伸長状態で収縮可能に取り付けられている。前後弾性シート２６，３６は、エラストマー繊維を含む伸縮性繊維不織布によって形成されている。前ウエスト域２に位置する前弾性シート２６は、吸液構造体５０の底面と、前ウエストシート２１との間に位置し、横方向Ｘに伸長状態で収縮可能に取り付けられている。前弾性シート２６は、その外面が図示しないホットメルト接着剤等の接着手段によって、前ウエストシート２１に接合されるとともに、その内面は、被覆シート５６に接合されている。
【００３３】
後ウエスト域３に位置する後弾性シート３６は、吸液構造体５０の吸収面側に位置し、横方向Ｘに伸長状態で収縮可能に取り付けられている。前後弾性シート２６，３６の両側縁は、前後ウエストシート２１，３１の両側縁と重なっている。後弾性シート３６は、吸液構造体５０の後端縁５２を覆うように、後端縁５２から縦方向Ｙ外側に延出して重なるとともに、両側縁５３から横方向Ｘ外側にも延出している。吸液構造体５０の横方向Ｘ外側では、その全域において図示しないホットメルト接着剤等の接合手段によって、後弾性シート３６と後ウエストシート３１とが互いに接合されている。
【００３４】
前後ウエストシート２１，３１が折り返された前後エンドフラップ２４，３４は、前後弾性シート２６，３６の内面に接合される。前エンドフラップ２４は、その内側端縁２１ａが吸液構造体５０の前端縁５１を覆い、その全域において前弾性シート２６および吸液構造体５０に図示しないホットメルト接着剤等の接着手段によって接合される。吸液構造体５０の前端縁５１を前ウエストシート２１で覆い接合することによって、吸液性芯材５４のフラッフパルプ等が零れ落ちるのを防止している。
【００３５】
後エンドフラップ３４は、内側端縁３１ａが後弾性シート３６に僅かに重なり、その全域において図示しないホットメルト接着剤等の接合手段によって接合される。
【００３６】
上記のような構成のおむつ１において、前後弾性シート２６，３６は、前後ウエスト域２，３のほぼ全域に対応する大きさを有し、横方向Ｘに伸長状態で収縮可能に取り付けているので、前後ウエスト域２，３のほぼ全域を着用者にフィットさせることができる。前後弾性シート２６，３６を用いることでより広い範囲で着用者にフィットさせることができるので、おむつ１のずり下がりを防止することができる。
【００３７】
前後ウエストシート２１，３１の内面には、クロッチ域４側であってクロッチ側縁部７ｃに沿って、前後レッグ弾性要素２７，３７が収縮可能に取り付けられている。前後レッグ弾性要素２７，３７は、エラストマー繊維を含む伸縮性繊維不織布によって形成された弾性シートによって形成されている。前レッグ弾性要素２７の一部および後レッグ弾性要素３７の全体の外面には、固定シート４５が積層され、これら弾性要素が固定されている。このような前後レッグ弾性要素２７，３７によって、レッグ開口を着用者に密着させることができる。
【００３８】
前後弾性シート２６，３６は、質量が２０〜５０ｇ／ｍ２、好ましくは、３０〜４０ｇ／ｍ２、繊維密度が０．０１〜０．０４ｇ／ｃｍ３、好ましくは０．０２５〜０．０３５ｇ／ｃｍ３の範囲である熱融着性のエラストマー繊維からなる伸縮性繊維不織布から形成されていることが好ましい。具体的には、熱可塑性ポリウレタンポリマーと、熱可塑性ポリウレタンポリマー以外の熱可塑性ポリマー、例えば、スチレン系エラストマー、ポリオレフィン系エラストマー、塩ビ系エラストマー、アミド系エラストマー、ポリエチレン、ポリプロピレン、ポリスチレン等のポリオレフィン類のポリマーとの混合からなる繊維を含む混合繊維から形成することができる。
【００３９】
前後弾性シート２６，３６をエラストマー繊維と非エラストマー繊維との混合繊維から形成してもよい。この混合繊維を用いると、エラストマー繊維による着用者の肌に対する摩擦を軽減することができる。換言すると、非エラストマー繊維を混合することによって、着用者の肌に対するすべりを向上させ、前後弾性シート２６，３６の柔軟性および肌触りを向上させることができる。また、前後弾性シート２６，３６の伸縮性を調整することができる。
【００４０】
前後ウエストシート２１，３１は、質量が１５〜４０ｇ／ｍ２、好ましくは２５〜３５ｇ／ｍ２、繊維密度が０．０６〜０．１０ｇ／ｃｍ３、好ましくは０．０７〜０．０９ｇ／ｃｍ３である熱融着性のスパンボンド繊維不織布から形成されていることが好ましい。前後ウエストシート２１，３１は、複数層から形成されていてもよい。
【００４１】
上記のようなおむつ１は、図６に示したように、クロッチ部材４０の前後端縁４０ａ，４０ｂには、前後ウエスト部材２０，３０が重なって接合されて、第１および第２積層領域６１，６２が形成されるとともに、これら第１および第２積層領域６１，６２の間に位置する中間領域６３が形成される。図５，６に示したように、第１積層領域６１には、位置確認用マーク４３が形成され、第２積層領域６２には、魚の絵のクロッチ表示要素４４ａが描かれ、中間領域６３には、魚の絵のクロッチ表示要素４４ｂがそれぞれ描かれている。位置確認用マーク４３は、クロッチ部材４０を切断する際の、切断位置検出に用いられるものであるので、このマーク４３は、通常、美観性に優れたものとは言えず、むしろこのマーク４３がおむつの外観にそのまま現れることによって、おむつの美感を損ねてしまう可能性がある。
【００４２】
しかし、この実施形態では、第１積層領域６１には前ウエスト部材２０の前ウエストシート２１および前表示フィルム２２が積層されているので、位置確認用マーク４３が外側から見え難くすることができる。また、前表示フィルム２２には、ペンギンの絵が前表示要素２３として描かれており、この前表示要素２３が位置確認用マーク４３に重なるように配置することによって、より一層位置確認用マーク４３を見え難くすることができる。したがって、位置確認用マーク４３によっておむつ１の外観が損なわれるのを防止することができる。
【００４３】
後ウエスト部材３０の後表示フィルム３２には、釣竿を持つペンギンの絵が後表示要素３３として描かれている。後表示フィルム３２には、既述した全光線透過率の後ウエストシート３１を積層しているので、後表示要素３３は後ウエストシート３１を透過して視認可能とされる。クロッチ部材４０の第２積層領域６２には、クロッチ表示要素４４ａとして魚の絵が描かれている。この魚の絵は、後ウエスト部材３０が積層されたときに、後表示要素３３として描かれた釣り糸の先端に位置するように配置されるとともに、後ウエスト部材３０を介して視認可能とされている。ただし、クロッチ表示要素４４ａは、積層された後ウエスト部材３０によって、見え難くなっている。見え難くすることによって、魚はあたかも水中で針にかかっているかのように表現することができる。このように、クロッチ表示要素４４ａを見え難くすることによって、さまざまな絵を表現することが可能となる。
【００４４】
上記のように、後ウエスト部材３０を介してクロッチ要素４４ａを視認可能とするために、後ウエストシート３１と後表示フィルム３２とが積層された部分であって、後表示要素３３が存在しない部分における全光線透過率は約６０〜１００％、好ましくは約７０〜８０％とされている。全光線透過率は、前後ウエストシート２１，３１のみの全光線透過率と同様に測定した。全光線透過率は、６０％以下であると、その下層に位置するクロッチ部材４０のクロッチ表示要素４４ａが見えなくなってしまうからである。この実施形態では、前ウエスト部材２０として、後ウエスト部材３０と同様の全光線透過率のものを用いている。
【００４５】
クロッチ部材４０の中間領域６３には、魚の絵がクロッチ表示要素４４ｂとして描かれている。第１積層領域６１に重なる前ウエスト部材２０には、釣竿を持つペンギンの絵が表示され、これらを重ねた場合であっても釣竿から垂れる釣り糸と魚との間は離れるようにされている。また、これら中間領域６３に描かれたクロッチ表示要素４４ｂは、既述したとおり、外面シート４１から視認可能とされている。
【００４６】
上記のようなおむつ１では、前ウエスト域２では、第１積層領域６１に位置確認用マーク４３を位置させ、かつ、前表示要素２３と位置確認用マーク４３とを重ねることによって、この位置確認用マーク４３がおむつ１の着衣側すなわち、前ウエストシート２１の外側から見えないようにしている。前表示要素２３が形成された部分においては、その全光線透過率が他の部分よりも小さくなり、これが重なることによって、位置確認用マーク４３を視認できなくしている。前表示要素２３が形成された部分における前ウエスト部材２０の全光線透過率を約０〜６０％、好ましくは約０〜３０％とすることができる。
【００４７】
後ウエスト域３では、クロッチ表示要素４４ａを位置させ、かつ、クロッチ表示要素４４ａに重ならないように後表示要素３３を位置させることによって、クロッチ表示要素４４ａと後ウエスト表示要素３３との組み合わせによって描かれた絵を楽しむことができる。具体的には、前ウエスト域２では、前ウエスト部材２０にまだ魚が釣れないペンギンを前表示要素２３で表すとともに位置確認用マーク４３を覆い隠し、クロッチ域４では、海の中にいる魚をクロッチ表示要素４４ｂで表し、後ウエスト域３では、魚が釣れたペンギンを後表示要素３３とクロッチ表示要素４４ａで表すことができる。
【００４８】
この実施形態では、前ウエスト部材２０では、前表示要素２３と位置確認用マーク４３とが重なることによって、位置確認用マーク４３が見えなくなる例について説明したが、前ウエスト部材２０の全光線透過率を小さくすることによって、前表示要素２３と重ならない場合であってもこれが見えないように、または見え難くなるようにすることもできる。また、位置確認用マーク４３は、第２積層領域６２に位置してもよい。
【００４９】
後ウエスト部材３０では、クロッチ表示要素４４ａが見え難くなる例について説明したが、これに限ったものではなく、後ウエスト部材３０の積層によって完全に見えなくなる場合であってもよい。また、一方のウエスト部材は見え難く、他方は見えないという組み合わせであってもよい。この実施形態では、視認不能、視認困難、明確に視認可能という状態をそれぞれ作ることができ、また、第１積層領域６１、第２積層領域６２、中間領域６３、前表示フィルム２２、後表示フィルム３２にそれぞれ異なる絵を描くことによって、さまざまなバリエーションの絵柄を表現することができる。
【００５０】
また、この実施形態では、前後ウエスト部材２０，３０だけでなく、クロッチ部材４０にも、表示要素として絵を描くこととしたので、より広い領域に絵を描くことができるとともに、それぞれの部材に描いた絵を組み合わせることによって、多様のバリエーションの絵を作り出すことができる。
【００５１】
第１積層領域６１に、位置確認用マーク４３を形成しこれが見えないようにしているが、位置確認用マーク４３のほかにも、製造番号やロット番号などを付することもできる。これら番号は、おむつ１の着用時には積層された前ウエスト部材２０に覆われて見えないが、前ウエスト部材２０を剥離することによって、視認可能とすることができる。すなわち、第１および第２積層領域６１，６２には、通常は視認することができず、必要に応じて前後ウエスト部材２０，３０を剥離することによって視認可能とすることができる番号等を付すこともできる。
【００５２】
図７は、クロッチ部材４０を製造する方法を説明するための図である。クロッチ部材４０は、機械方向ＭＤに連続するウェブ７０を切断線７１に沿って切断することによって得られる。ウェブ７０は、クロッチ部材４０の構成要素である外面シート４１と印刷シート４２とが積層されて形成されている。切断線７１は、機械方向ＭＤに直交する交差方向ＣＤに沿って延びている。印刷シート４２には、位置確認用マーク４３と、クロッチ表示要素４４ａ，４４ｂとがそれぞれ描かれている。クロッチ表示要素４４ａ，４４ｂは、例えば、イカ、魚、貝の３種類の絵柄が用意され、機械方向ＭＤに順番に並んでいる。
【００５３】
上記のようなクロッチ部材４０は、位置確認用マーク４３を検出する図示しない検出手段と、検出手段からのマーク検出信号によってウェブ７０を切断する図示しない切断手段とによって切断、分離される。このようにクロッチ部材４０を形成するウェブ７０は、位置確認用マーク４３によって、規定の位置である切断線７１に沿って切断することができる。
【００５４】
図８は、前後ウエスト部材２０，３０を製造する方法を説明するための図である。前後ウエスト部材２０，３０は、機械方向ＭＤに連続するウェブ８０を切断線８１に沿って切断することによって得られる。具体的には、前後ウエストシート２１，３１を構成するウェブ８０には、前後表示要素２３，３３が描かれた前後表示フィルム２２，３２が接合されている。また、前ウエストシート２１と後ウエストシート３１とは、交差方向ＣＤに連続され、これを交差方向ＣＤに並行に延びる切断線８２に沿って切断することによって得られる。
【００５５】
機械方向ＭＤに連続した前後ウエストシート２１，３１は、クロッチ部材４０と同様に、位置確認用マーク３８を検出することによって、機械方向ＭＤに延びる切断線８１に沿って切断されるが、前ウエストシート２１と後ウエストシート３１とを交差方向ＣＤに連続させることによって、前後ウエストシート２１，３１のいずれか一方に位置確認用マーク３８を形成すればよい。切断線８１に沿って切断した後、切断線８２に沿って切断して前後ウエストシート２１，３１を互いに分離してもよし、切断線８２に沿って切断した後、切断線８１に沿って切断してもよい。いずれにしても、前後ウエストシート２１，３１を交差方向ＣＤに対応させているので、位置確認用マーク３８は、一箇所に形成すればよい。
【００５６】
前後ウエスト部材２０，３０に描かれた前後表示要素２３，３３は、例えば、ペンギンと鳥が描かれたパターンＡと、ペンギンのみが描かれたパターンＢとを有し、これらパターンＡ，Ｂは、ウェブの機械方向ＭＤに交互に並んでいる。クロッチ部材４０のクロッチ表示要素４４ａ，４４ｂである、イカ、魚、貝の３つのパターンは、ウェブの機械方向ＭＤに順番に並んでいるから、ウェブ７０，８０を切断して得られた、前後ウエスト部材２０，３０とクロッチ部材４０とを組み合わせておむつ１を形成することによって、隣り合うおむつ１では、それぞれ異なる絵柄になる。例えば、前後表示要素２３，３３のパターンＡとクロッチ表示要素４４ａ，４４ｂのイカとの組み合わせによる絵柄、パターンＢと魚との組み合わせによる絵柄というような絵柄を得ることができる。
【００５７】
前後表示要素２３，３３の絵柄を２種類、クロッチ表示要素４４ａ，４４ｂの絵柄を３種類として、これら種類の数を異なるようにしているので、ウェブ８０を切断して前後ウエスト部材２０，３０を形成し、ウェブ７０を切断してクロッチ部材４０を形成し、切断された順番で前後ウエスト部材２０，３０とクロッチ部材４０とを接合させおむつ１とする場合には、組み合わせにおけるパターンを多くすることができる。すなわち、前後ウエスト部材２０，３０は、表示要素の絵柄が、パターンＡ，Ｂの順番で繰り返し現れ、これに対応するクロッチ部材４０の表示要素は、イカ、魚、貝の絵柄が、この順番で繰り返し現れる。そうすると、イカ、魚、貝の絵柄が一巡すると、これに対応するパターンＡ，Ｂの絵柄が、ひとつずつずれる。したがって、おむつ１に表示される絵柄は、パターンＡとイカ、パターンＢと魚、パターンＡと貝、パターンＢとイカ、パターンＡと魚、パターンＢと貝、というように、その組み合わせが豊富になる。すなわち、表示要素を所要の順番で繰り返し、前後表示要素とクロッチ表示要素との種類数を変えるだけで、組み合わせの種類を多くすることができる。この組み合わせは、前後表示要素の種類数と、クロッチ表示要素の種類数との最小公倍数に等しい。前後表示要素およびクロッチ表示要素の種類数は、上記に限られることなく、任意に設定可能である。
【００５８】
おむつ１を構成する各構成部材には、本明細書に記載されている材料のほかに、この種の分野において通常用いられている、各種の公知の材料を制限なく用いることができる。
【００５９】
本発明の明細書および特許請求の範囲において、用語「第１」および「第２」は、同様の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００６０】
１    おむつ（使い捨ての着用物品）
２    前ウエスト域（第１または第２ウエスト域）
３    後ウエスト域（第１または第２ウエスト域）
４    クロッチ域
８    サイドシーム部
２０    前ウエスト部材（第１または第２ウエスト部材）
２１    前ウエストシート（第１または第２ウエストシート）
２２    前表示フィルム（第１または第２表示フィルム）
２３    前表示要素（表示要素）
３０    後ウエスト部材（第１または第２ウエスト部材）
３１    後ウエストシート（第１または第２ウエストシート）
３２    後表示フィルム（第１または第２表示フィルム）
３３    後表示要素（表示要素）
４０    クロッチ部材
４０ａ  前端縁（第１または第２端縁）
４０ｂ  後端縁（第１または第２端縁）
４１    外面シート
４２    印刷シート
４３    位置確認用マーク
４４ａ  クロッチ表示要素（表示要素）
４４ｂ  クロッチ表示要素（表示要素）
６１    第１積層領域
６２    第２積層領域
６３    中間領域
【図１】
0005383528.tif 000002
【図２】
0005383528.tif 000003
【図３】
0005383528.tif 000004
【図４】
0005383528.tif 000005
【図５】
0005383528.tif 000006
【図６】
0005383528.tif 000007
【図７】
0005383528.tif 000008
【図８】
0005383528.tif 000009